(57)【要約】【課題】用紙に印刷する印刷データを簡単に作成することができる用紙束印刷システム、用紙束印刷システムの制御方法および用紙束プリンタを提供する。【解決手段】用紙束から用紙を１枚ずつ捲り上げて送ると共に、送られてゆく用紙に印刷を行う用紙束印刷システムにおいて、連絡先名を含む伝言メッセージを取得するメッセージ取得手段と、連絡先名および連絡先名に関連する連絡先情報を記憶する記憶手段と、伝言メッセージから、連絡先名を抽出する連絡先名抽出手段と、抽出した連絡先名を記憶手段と照合して連絡先情報を取得する連絡先情報取得手段と、取得した連絡先情報を、伝言メッセージに付加して用紙に印刷する印刷手段と、を備えた。【選択図】図１０
2008077344.tif 000002
【特許請求の範囲】
【請求項１】
用紙束から用紙を１枚ずつ捲り上げて送ると共に、送られてゆく前記用紙に印刷を行う用紙束印刷システムにおいて、
連絡先名を含む伝言メッセージを取得するメッセージ取得手段と、
前記連絡先名および前記連絡先名に関連する連絡先情報を記憶する記憶手段と、
前記伝言メッセージから、前記連絡先名を抽出する連絡先名抽出手段と、
抽出した前記連絡先名を前記記憶手段と照合して前記連絡先情報を取得する連絡先情報取得手段と、
取得した前記連絡先情報を、前記伝言メッセージに付加して前記用紙に印刷する印刷手段と、を備えたことを特徴とする用紙束印刷システム。
【請求項２】
用紙束から用紙を１枚ずつ捲り上げて送ると共に、送られてゆく前記用紙に印刷を行う用紙束印刷システムにおいて、
連絡先名を取得する連絡先名取得手段と、
伝言メッセージを取得するメッセージ取得手段と、
前記連絡先名および前記連絡先名に関連する連絡先情報を記憶する記憶手段と、
取得した前記連絡先名に基づいて、前記記憶手段から前記連絡先情報を取得する連絡先情報取得手段と、
取得した前記連絡先情報を、前記連絡先名と共に前記伝言メッセージに付加して前記用紙に印刷する印刷手段と、を備えたことを特徴とする用紙束印刷システム。
【請求項３】
前記連絡先情報には、電話番号、メールアドレス、住所および前記住所の現地時刻と前記用紙に印刷した現在時刻との時差の少なくとも一つが含まれていることを特徴とする請求項１または２に記載の用紙束印刷システム。
【請求項４】
前記伝言メッセージに関する複数の常套句を記憶する常套句記憶手段と、
前記常套句記憶手段から所望の１以上の前記常套句を選択するための常套句選択手段と、を更に備えたことを特徴とする請求項１ないし３のいずれか１項に記載の用紙束印刷システム。
【請求項５】
前記常套句記憶手段に、新たな前記常套句を登録する常套句登録手段を、更に備えたことを特徴とする請求項４に記載の用紙束印刷システム。
【請求項６】
用紙束から用紙を１枚ずつ捲り上げて送ると共に、送られてゆく前記用紙に印刷を行う用紙束印刷システムの制御方法において、
連絡先名を含む伝言メッセージを取得するメッセージ取得工程と、
前記連絡先名および前記連絡先名に関連する連絡先情報を記憶する記憶工程と、
前記伝言メッセージから、前記連絡先名を抽出する連絡先名抽出工程と、
抽出した前記連絡先名を前記記憶手段と照合して前記連絡先情報を取得する連絡先情報取得工程と、
前記取得した前記連絡先情報を、前記伝言メッセージに付加して前記用紙に印刷する印刷工程と、を備えたことを特徴とする用紙束印刷システムの制御方法。
【請求項７】
用紙束から用紙を１枚ずつ捲り上げて送ると共に、送られてゆく前記用紙に印刷を行う用紙束印刷システムの制御方法において、
連絡先名を取得する連絡先名取得工程と、
伝言メッセージを取得するメッセージ取得工程と、
前記連絡先名および前記連絡先名に関連する連絡先情報を記憶する記憶工程と、
取得した前記連絡先名に基づいて、前記記憶手段から前記連絡先情報を取得する連絡先情報取得工程と、
前記取得した前記連絡先情報を、前記連絡先名と共に前記伝言メッセージに付加して前記用紙に印刷する印刷工程と、を備えたことを特徴とする用紙束印刷システムの制御方法。
【請求項８】
前記印刷手段を備えた用紙束プリンタと、
前記メッセージ取得手段、前記記憶手段、前記連絡先名抽出手段および前記連絡先情報取得手段、を備えたコンピュータと、から成ることを特徴とする請求項１に記載の用紙束印刷システム。
【請求項９】
前記印刷手段を備えた用紙束プリンタと、
前記連絡先名取得手段、前記メッセージ取得手段、前記記憶手段および前記連絡先情報取得手段、を備えたコンピュータと、から成ることを特徴とする請求項２に記載の用紙束印刷システム。
【請求項１０】
請求項１ないし５のいずれかに記載の用紙束印刷システムの全ての手段を備えたことを特徴とする用紙束プリンタ。
【発明の詳細な説明】
【技術分野】
【０００１】
本発明は、用紙束から用紙を１枚ずつ捲り上げ、捲り上げた用紙に印刷を行う用紙束印刷システム、用紙束印刷システムの制御方法および用紙束プリンタに関するものである。
【背景技術】
【０００２】
従来、この種の付箋紙プリンタ（用紙束プリンタ）として、付箋紙プリンタに接続されたパソコンにより作成した印刷データに基づいて、付箋紙に所望の印刷を行うものが知られている（特許文献１参照）。
【特許文献１】特開２００３−２１２３６７号公報
【発明の開示】
【発明が解決しようとする課題】
【０００３】
ところで、付箋紙は、例えば、電話の伝言メモとして用いられる場合がある。このとき、上記従来の付箋紙プリンタで伝言メモを作成しようとすると、パソコンにより、連絡先（人名、会社名や店名等）、電話番号やメールアドレス、はたまた、連絡先が海外である場合は現地時刻等の全ての情報を調べて、印刷データとして作成しなければならない。このため、ユーザにとって煩雑な処理により印刷データを作成するという問題がある。
【０００４】
本発明は、用紙に印刷する印刷データを簡単に作成することができる用紙束印刷システム、用紙束印刷システムの制御方法および用紙束プリンタを提供することを課題とする。
【課題を解決するための手段】
【０００５】
本発明の用紙束印刷システムは、用紙束から用紙を１枚ずつ捲り上げて送ると共に、送られてゆく用紙に印刷を行う用紙束印刷システムにおいて、連絡先名を含む伝言メッセージを取得するメッセージ取得手段と、連絡先名および連絡先名に関連する連絡先情報を記憶する記憶手段と、伝言メッセージから、連絡先名を抽出する連絡先名抽出手段と、抽出した連絡先名を記憶手段と照合して連絡先情報を取得する連絡先情報取得手段と、取得した連絡先情報を、伝言メッセージに付加して用紙に印刷する印刷手段と、を備えたことを特徴とする。
【０００６】
また、本発明の用紙束印刷システムの制御方法は、用紙束から用紙を１枚ずつ捲り上げて送ると共に、送られてゆく用紙に印刷を行う用紙束印刷システムの制御方法において、連絡先名を含む伝言メッセージを取得するメッセージ取得工程と、連絡先名および連絡先名に関連する連絡先情報を記憶する記憶工程と、伝言メッセージから、連絡先名を抽出する連絡先名抽出工程と、抽出した連絡先名を記憶手段と照合して連絡先情報を取得する連絡先情報取得工程と、取得した連絡先情報を、伝言メッセージに付加して用紙に印刷する印刷工程と、を備えたことを特徴とする。
【０００７】
この構成によれば、作成した伝言メッセージ上に、連絡先名が含まれていると、連絡先名抽出手段により連絡先名が抽出され、抽出された連絡先名に基づいて、連絡先情報取得手段が記憶手段の中から、その連絡先名に対応した連絡先情報を取得し、印刷手段により、伝言メッセージと共に、連絡先情報を自動的に印刷する。すなわち、ユーザは、伝言メッセージを作成するだけで、その連絡先名に関連する連絡先情報が自動的に付加されるため、ユーザ自ら、連絡先名に関連する連絡先情報を印刷データとして作成する手間を省くことができる。なお、連絡先名としては、人名、会社名や店名等がある。また、用紙束としては、メモ帳や付箋紙束等がある。
【０００８】
本発明の他の用紙束印刷システムは、用紙束から用紙を１枚ずつ捲り上げて送ると共に、送られてゆく用紙に印刷を行う用紙束印刷システムにおいて、連絡先名を取得する連絡先名取得手段と、伝言メッセージを取得するメッセージ取得手段と、連絡先名および連絡先名に関連する連絡先情報を記憶する記憶手段と、取得した連絡先名に基づいて、記憶手段から連絡先情報を取得する連絡先情報取得手段と、取得した連絡先情報を、連絡先名と共に伝言メッセージに付加して用紙に印刷する印刷手段と、を備えたことを特徴とする。
【０００９】
また、本発明の他の用紙束印刷システムの制御方法は、用紙束から用紙を１枚ずつ捲り上げて送ると共に、送られてゆく用紙に印刷を行う用紙束印刷システムの制御方法において、連絡先名を取得する連絡先名取得工程と、伝言メッセージを取得するメッセージ取得工程と、連絡先名および連絡先名に関連する連絡先情報を記憶する記憶工程と、取得した連絡先名に基づいて、記憶手段から連絡先情報を取得する連絡先情報取得工程と、取得した連絡先情報を、連絡先名と共に伝言メッセージに付加して用紙に印刷する印刷工程と、を備えたことを特徴とする。
【００１０】
この構成によれば、取得した連絡先名に基づいて、連絡先情報取得手段が記憶手段の中から、その連絡先名に対応した連絡先情報を取得し、印刷手段により、連絡先名および伝言メッセージと共に、連絡先情報を自動的に印刷する。すなわち、ユーザは、連絡先名および伝言メッセージを作成するだけで、その連絡先名に関連する連絡先情報が自動的に付加されるため、ユーザ自ら、連絡先名に関連する連絡先情報を印刷データとして作成する手間を省くことができる。
【００１１】
この場合、連絡先情報には、電話番号、メールアドレス、住所および住所の現地時刻と用紙に印刷した現在時刻との時差の少なくとも一つが含まれていることが、好ましい。
【００１２】
この構成によれば、印刷された付箋紙には、伝言メッセージと共に、電話番号、メールアドレスや時差が印刷されるため、ユーザはこれらの連絡先情報を印刷データとして作成する必要が無い。また、この付箋紙を受け取った受取人は、連絡先の電話番号、メールアドレスおよび時差も容易に把握することができるため、電話番号を調べることなく早急に電話を掛け直すこともでき、また、連絡先の時差に基づいて、連絡先の現地時刻に合わせた対応を取ることも可能となる。なお、時差に代えて、現地時刻をそのまま表示しても良い。
【００１３】
この場合、伝言メッセージに関する複数の常套句を記憶する常套句記憶手段と、
前記常套句記憶手段から所望の１以上の前記常套句を選択するための常套句選択手段とを、更に備えたことが、好ましい。
【００１４】
この構成によれば、常套句選択手段により、所望の常套句を選択し、これを伝言メッセージとすることで、伝言メッセージを作成する手間を省くことができ、より簡単に印刷データを作成することができる。
【００１５】
この場合、常套句記憶手段に、新たな前記常套句を登録する常套句登録手段を、更に備えたことが、好ましい。
【００１６】
この構成によれば、多用する常套句を新たに登録することができるため、用紙束印刷システムの汎用性を向上させることができる。
【００１７】
この場合、印刷手段を備えた用紙束プリンタと、メッセージ取得手段、記憶手段、連絡先名抽出手段および連絡先情報取得手段、を備えたコンピュータと、から成ることが、好ましい。
【００１８】
この構成によれば、コンピュータを利用して、抽出した連絡先名に基づいて、連絡先名に関連する連絡先情報を自動的に伝言メッセージに付加して、印刷することができる。
【００１９】
この場合、印刷手段を備えた用紙束プリンタと、連絡先名取得手段、メッセージ取得手段、記憶手段および連絡先情報取得手段、を備えたコンピュータと、から成ることが、好ましい。
【００２０】
この構成によれば、コンピュータを利用して、取得した連絡先名に基づいて、連絡先名に関連する連絡先情報を自動的に伝言メッセージに付加して、印刷することができる。
【００２１】
本発明の用紙束プリンタは、上記の用紙束印刷システムの全ての手段を備えたことを特徴とする。
【００２２】
この構成によれば、用紙束プリンタ単体で、抽出または取得した連絡先名に基づいて、連絡先名に関連する連絡先情報を自動的に伝言メッセージに付加して、印刷することができる。
【発明を実施するための最良の形態】
【００２３】
以下、添付の図面を参照して、本実施形態に係る付箋紙プリントシステム（用紙束印刷システム）について説明する。付箋紙プリントシステムは、パソコンで作成した印刷データに基づいて、付箋紙プリンタ（用紙束プリンタ）により、これにセットした付箋紙束（用紙束）から最上位の付箋紙を捲り上げ、捲り上げた付箋紙を引き剥がしながら印刷を行って、装置外部に印刷済みの付箋紙を排出するものである。
【００２４】
図１に示すように、付箋紙プリントシステム１は、付箋紙束Ｈがセットされる付箋紙プリンタ２と、付箋紙プリンタ２にＵＳＢケーブル４等で接続され、付箋紙Ｈ１に印刷するための印刷データを作成・編集すると共に、付箋紙プリンタ２の各種駆動を制御するパソコン３とから構成されている。
【００２５】
図２に示すように、付箋紙プリンタ２は、外殻を成す装置ケース１５と、装置ケース１５内部に格納され、装置ケース１５内部にセットした付箋紙束Ｈから付箋紙Ｈ１を引き剥がしながら印刷を行う印刷部アッセンブリ（印刷手段）１２と、を備えている。
【００２６】
付箋紙束Ｈは、裏面の基端部を部分糊付けした長方形状の複数枚の付箋紙Ｈ１を積層したものである（図３参照）。付箋紙Ｈ１は、付箋紙束Ｈから１枚ずつ剥離され、剥離後に、この基端部の糊付け部を介して、手帳等に貼着される。
【００２７】
装置ケース１５は、全体として小型に形成されており、装置ケース１５の下部前面には、付箋紙カセット２０を装置ケース１５内部に前方から引出し式で導入するためのカセット導入開口１７が形成されている。装置ケース１５の上部前面中央には、印刷済み付箋紙Ｈ１を装置ケース２外部に送り出すための水平スリット状の排出口１６と、排出口１６を境に装置ケース１５内部から装置ケース１５外部へ延在し、引き剥がされた印刷済み付箋紙Ｈ１を受け留める受け部１４と、が形成されている。また、装置ケース１５の上面には、リボンカートリッジＣを装着すると共に、メンテナンスのための開閉蓋１８が取り付けられている。
【００２８】
図３に示すように、印刷部アッセンブリ１２は、付箋紙束Ｈをセットする付箋紙カセット２０と、セットした付箋紙束Ｈの最上位の付箋紙Ｈ１を捲上げ位置２３において捲り上げた後、付箋紙Ｈ１を引き剥がして排出するピックアップローラ２５と、ピックアップローラ２５により送られてゆく付箋紙Ｈ１に印刷を行うサーマルヘッド２６と、ピックアップローラ２５を捲上げ位置２３とサーマルヘッド２６に接触する印刷位置２４との間で移動させるローラアーム２７と、インクリボンＲを収容したリボンカートリッジＣと、を有している。つまり、ピックアップローラ２５は、サーマルヘッド２６に対峙するプラテンローラとしての役割も兼ねている。
【００２９】
印刷部アッセンブリ１２は、付箋紙カセット２０にセットされた付箋紙束Ｈに対し、ピックアップローラ２５を捲上げ位置２３に臨ませて、最上位の付箋紙Ｈ１を捲り上げ、この状態でローラアーム２７によりピックアップローラ２５を印刷位置２４に移動させる。すると、印刷位置２４に移動したピックアップローラ２５は、捲り上げた付箋紙Ｈ１と装着したリボンカートリッジＣから繰り出されるインクリボンＲとを、サーマルヘッド２６と共に挟み込み、ピックアップローラ２５により付箋紙Ｈ１を排出口１６に向かって送ると共に、送られてゆく付箋紙Ｈ１にサーマルヘッド２６によりインクリボンＲのインクを熱転写している。
【００３０】
図１に示すように、パソコン３は、パソコン本体５と、パソコン本体５に接続され、データを入力するキーボード６およびマウス７と、入力結果等を表示するディスプレイ８とを有しており、パソコン本体５には、付箋紙プリンタ２に関するアプリケーションソフト３０やデバイスドライバ等のデータを記憶したＣＤ−ＲＯＭ９が着脱自在にセットされている。そして、キーボード６等から各種検出信号、各種指令、各種データ等が入力されると、パソコン３は、ＣＤ−ＲＯＭ９内のプログラムに従って、各種データを処理し、付箋紙プリンタ２を制御するようになっている。
【００３１】
すなわち、付箋紙Ｈ１に伝言メッセージ等を印刷する場合は、先ず、パソコン３上において、アプリケーションソフト３０を起動する。次に、アプリケーションソフト３０を用いて印刷データを作成し、この後、プリントボタン３１をクリックすると、付箋紙プリンタ２は、作成した印刷データに基づいて、付箋紙Ｈ１に印刷を行うと共に、排出口１６に向かって印刷済みの付箋紙Ｈ１を排紙する。
【００３２】
なお、当然ではあるが、付箋紙プリンタ２に印刷データの作成・編集機能、各部の制御機能やディスプレイ８を設け、付箋紙プリンタ２を単体として用いて、付箋紙Ｈ１に対する印刷を行うようにしてもよい。
【００３３】
ここで、図４を参照して、アプリケーションソフト３０について詳細に説明する。アプリケーションソフト３０は、起動した際のデフォルト画面となるＥＤＩＴ画面３５と、登録した登録データに基づいて印刷データを作成するＪＯＢ画面３６と、登録データを編集するＤＡＴＡ画面３７と、を有しており、各画面３５、３６、３７は、階層状に配置されている。
【００３４】
ＥＤＩＴ画面３５は、ＥＤＩＴ画面３５の図示上側に突出し、これを選択するためのＥＤＩＴタブ４０と、ＥＤＩＴ画面３５の略全域に設けられ、キーボード６により伝言メッセージ５７を入力してこれを表示するメッセージ入力領域４１と、ＥＤＩＴ画面３５の図示右下に設けられ、メッセージ入力領域４１に表示された伝言メッセージを印刷するプリントボタン３１とを有している。つまり、メッセージ入力領域４１に入力された伝言メッセージ５７は、アプリケーションソフト３０のメッセージ取得手段により取得され、プリントボタン３１をクリックすることにより、取得した伝言メッセージ５７に基づいて、付箋紙Ｈ１に伝言メッセージ５７が印刷されることとなる。
【００３５】
図５に示すように、ＤＡＴＡ画面３７は、ＤＡＴＡ画面３７の図示上側に突出し、これを選択するためのＤＡＴＡタブ４４と、ＤＡＴＡ画面３７の図示左側に設けられ、区分した複数のカテゴリを選択可能に表示するカテゴリ選択領域４５と、ＤＡＴＡ画面３７の図示右側に設けられ、カテゴリ選択領域４５で選択したカテゴリに対応する複数の登録データを選択可能に表示するデータ編集領域４６と、ＤＡＴＡ画面３７の図示左下側に設けられ、選択したカテゴリに新たな登録データを作成・登録するための新規作成ボタン４７と、ＤＡＴＡ画面３７の図示中央下側に設けられ、登録データを修正するための修正ボタン４８と、ＤＡＴＡ画面３７の図示右下側に設けられ、登録データを削除する削除ボタン４９と、を有している。
【００３６】
カテゴリ選択領域４５には、複数のカテゴリとして、「Person」、「Message」、「Place」、「Document」等があり、各カテゴリを選択すると、対応する登録データがデータ編集領域４６に表示されるよう構成されている。すなわち、「Person」を選択すると、データ編集領域４６には、個人名、会社名および店名等を含む複数の連絡先名５５が表示され、「Message」を選択すると、データ編集領域４６には、日常的に多用する複数の常套句が表示される。また、「Place」を選択すると、データ編集領域４６には、複数の場所名が表示され、「Document」を選択すると、データ編集領域４６には、複数の資料名が表示される。
【００３７】
データ編集領域４６には、カテゴリ選択領域４５において選択された各カテゴリにおける登録データが表示される。例えば、カテゴリ選択領域４５において、「Person」を選択すると、データ編集領域４６には、複数の連絡先名、「Anna」、「Archer Inc.」等の個人名や会社名が表示される。
【００３８】
新規作成ボタン４７は、選択したカテゴリに、新たな登録データを作成・登録するためのものであり、例えば、「Person」が選択された状態において、新規作成ボタン４７をクリックすると、登録データとして、連絡先データを登録する連絡先データ登録画面６０が現れる（図６参照）。つまり、登録データは、カテゴリ毎に異なっており、「Person」の場合は、連絡先データとして、「Message」の場合は、常套句データとして、「Place」の場合は、場所データとして、「Document」の場合は、資料データとして、パソコン内の記憶部（記憶手段）に登録される。
【００３９】
図６に示すように、連絡先データ登録画面６０は、連絡先名５５およびこれに関連する連絡先情報５６を登録するためのものであり、上から順に、連絡先名５５を入力する連絡先名入力領域６１と、連絡先の電話番号６７を入力する電話番号入力領域６２と、連絡先のメールアドレス６８を入力するメールアドレス入力領域６３と、連絡先の国／地域（住所所在地）を入力する国／地域入力領域６４と、を有している。また、連絡先データ登録画面６０の図示下側には、ＯＫボタン６５とキャンセルボタン６６とが設けられている。
【００４０】
新規作成ボタン４７をクリックすると、連絡先データ登録画面６０が呼び出され、キーボード６により、各入力領域に所望のデータを入力してゆく。そして、入力が終了し、ＯＫボタン６５をクリックすると、入力したデータに基づいて、新たな連絡先データが登録される。
【００４１】
修正ボタン４８は、登録されているデータを再編集するためのものであり、例えば、カテゴリ選択領域４５の「Person」を選択すると共に、データ編集領域４６の「Anna」を選択した状態において、修正ボタン４８をクリックすると、「Anna」の連絡先データ登録画面６０が呼び出され、「Anna」の連絡先データの再編集が可能となる。
【００４２】
削除ボタン４９は、登録されているデータを削除するためのものであり、例えば、カテゴリ選択領域４５の「Person」を選択すると共に、データ編集領域４６の「Anna」を選択した状態において、削除ボタン４９をクリックすると、「Anna」の連絡先データが削除される。
【００４３】
図７に示すように、ＪＯＢ画面３６は、ＪＯＢ画面３６の図示上側に突出し、これを選択するためのＪＯＢタブ７０と、ＪＯＢ画面３６上にマトリクス状に配置され、付箋紙Ｈ１に印刷する伝言メッセージ５７を、用途毎に区分した複数のＪＯＢボタン５９と、を有している。つまり、ＪＯＢボタン５９は、例えば、「Telephone」、「Schedule」、「Guest」、「Document」、「Time & Date」等があり、「Telephone」を選択することで、電話メモの作成を行ったり、「Schedule」を選択することで、スケジュールメモの作成を行ったりすることができる。なお、「Guest」は、来客メモの作成、「Document」は、資料に添付するメモの作成、「Time & Date」は、日付や時刻等のタイムスタンプとして使用される。例えば、ＪＯＢ画面３６において、電話メモを作成する場合について説明する。
【００４４】
図８に示すように、ＪＯＢ画面３６に表示されている「Telephone」をクリックすると、電話メモ作成画面７１が表示される。電話メモ作成画面７１は、その図示左側に設けられ、電話を掛けてきた相手方の連絡先を表示して選択するための連絡先選択領域７２と、図示右上側に設けられ、現在時刻８１または所望の時刻を表示して選択するための時刻選択領域７３と、図示右下側に設けられ、伝言メッセージを表示して選択するためのメッセージ選択領域７４と、上記の選択に基づいて印刷を行うためのプリントボタン３１と、を有している。
【００４５】
連絡先選択領域７２は、ＤＡＴＡ画面３７において登録された連絡先データの連絡先名５５を表示すると共に、連絡先選択領域７２の下側には、連絡先名５５を自由に入力可能な連絡先入力領域７５が設けられている。すなわち、登録された連絡先名５５が無い場合は、連絡先入力領域７５に連絡先名５５を入力することで、任意の連絡先名５５を付箋紙Ｈ１に印刷することができる。そして、連絡先名５５が入力されると、アプリケーションソフト３０の連絡先名取得手段により、連絡先名５５が取得され、取得した連絡先名５５に基づいて、付箋紙Ｈ１に連絡先名５５が印刷されることとなる。
【００４６】
時刻選択領域７３は、付箋紙に現在時刻８１を印刷するための現在時刻選択肢７６と、付箋紙Ｈ１に所望の時刻を入力して印刷するための時刻入力選択肢７７と、を有している。電話を受け取って、すぐに電話メモを作成した場合は、現在時刻選択肢７６を選択することにより、電話を受け取った時刻を付箋紙Ｈ１に印刷することが可能となる。また、電話を受け取った後、時間をおいて電話メモを作成する場合は、時刻入力選択肢７７を選択し、電話を受け取った時刻を入力することで、電話を受け取った時刻を付箋紙に印刷することが可能となる。
【００４７】
メッセージ選択領域７４は、例えば、「Call again」、「Call back」および「E-mail」等の選択肢があり、「Call again」を選択すると、もう一度掛け直す旨のメッセージを付箋紙に印刷し、「Call back」を選択すると、電話を下さいという旨のメッセージを付箋紙Ｈ１に印刷し、「E-mail」を選択すると、メールを下さいという旨のメッセージを付箋紙に印刷する。
【００４８】
電話メモを作成すべく、電話メモ作成画面７１を表示し、連絡先選択領域７２に表示された連絡先名５５を選択する。この後、時刻選択領域７３において、現在時刻選択肢７６を選択し、メッセージ選択領域７４において、「Call back」を選択する。全ての選択が終了した後、プリントボタン３１をクリックすると、上記の選択に基づいて、付箋紙Ｈ１に印刷が行われる。
【００４９】
ここで、図９に示すように、上記の選択に基づいて付箋紙Ｈ１を印刷すると、付箋紙Ｈ１には、上記で選択した連絡先名５５、現在時刻８１および伝言メッセージ５７の他、連絡先の電話番号６７および時差８０が自動的に付加されて印刷される。なお、「To Mike」の部分は手書きとなっている。以下、図１０を参照しながら、自動的に電話番号等の連絡先情報５６を付加し、付箋紙Ｈ１に印刷を行う一連の動作フローについて説明する。
【００５０】
ここで、アプリケーションソフト３０は、上記した連絡先名５５を取得する連絡先取得手段と、上記した伝言メッセージを取得するメッセージ取得手段と、連絡先名に基づいて、上記したパソコン内の記憶部から連絡先データを取得する連絡先情報取得手段とを有している。
【００５１】
電話メモ作成画面７１において、連絡先選択領域７２の連絡先名５５およびメッセージ選択領域７４の伝言メッセージ５７を選択し（Ｓ１、Ｓ２）、プリントボタン３１をクリックする（Ｓ３）と、アプリケーションソフト３０は、連絡先取得手段により選択した連絡先名５５を取得（Ｓ４）し、連絡先情報取得手段により取得した連絡先名から記憶部に記憶された連絡先データを取得する（Ｓ５）。この後、アプリケーションソフト３０は、取得した連絡先データから、電話番号６７等の連絡先情報５６を呼び出し（Ｓ６）、電話番号６７があるか否かを判断する（Ｓ７）。連絡先情報に電話番号６７が入力（登録）されている場合は、電話番号６７ありと判断し、付箋紙Ｈ１に印刷する印刷データに電話番号データを付加する（Ｓ８）。一方、連絡先情報５６に電話番号６７が入力（登録）されていない場合は、電話番号６７無しと判断し、印刷データに電話番号データを付加しない。同様に、連絡先情報５６にメールアドレス６８があるか否かを判断し（Ｓ９）、有る場合は、メールアドレスデータを印刷データに付加し（Ｓ１０）、無い場合は付加しない。また、連絡先情報５６に連絡先の国／地域が入力されているか否かを判断し（Ｓ１１）、有る場合は、これに対応した時差８０を付加する（Ｓ１２）。そして、連絡先情報５６が付加された印刷データに基づいて、印刷部アッセンブリ１２により、印刷を行う（Ｓ１３）ことで、連絡先情報５６が付加された付箋紙Ｈ１を得ることができる。
【００５２】
以上の構成によれば、ユーザは、連絡先名５５および伝言メッセージ５７を入力するだけで、その連絡先名５５に関連する連絡先情報５６が自動的に付加されるため、ユーザ自ら、連絡先名５５に関連する連絡先情報５６を入力する手間を省くことができる。なお、常套句データを新規に登録する常套句登録手段を設け、「Message」カテゴリを選択して、新規作成ボタン４７をクリックすることにより、新たな常套句を登録可能に構成されていることが、好ましい。これによれば、多用する常套句を新たに登録することができるため、アプリケーションソフト３０の汎用性を向上させることができる。また、本実施形態では、用紙束として付箋紙束Ｈを用いたが、これに限らず、メモ帳を用いても良い。
【００５３】
次に、図１１および図１２を参照して、第２実施形態に係る付箋紙プリントシステム１について説明する。なお、重複した記載を避けるべく、異なる部分についてのみ説明する。この付箋紙プリントシステム１のアプリケーションソフト３０は、キーボード６により入力された連絡先名５５を含む伝言メッセージ５７から、連絡先名５５を抽出する連絡先名抽出手段を有しており、連絡先名抽出手段は、パソコン内の記憶部に記憶された連絡先データの連絡先名５５に基づいて、伝言メッセージ５７内を検索し、連絡先名５５を抽出するよう構成されている。
【００５４】
具体的に説明すると、ＥＤＩＴ画面３５において、メッセージ入力領域４１に連絡先名を含む伝言メッセージ５７を作成し（Ｓ２１）、プリントボタン３１をクリックする（Ｓ２２）と、メッセージ取得手段により伝言メッセージ５７を取得する（Ｓ２３）。この後、連絡先名抽出手段により、取得した伝言メッセージ５７から連絡先名５５を抽出し（Ｓ２４）、抽出・取得した連絡先名５５に基づいて、連絡先情報取得手段により、連絡先データを取得する（Ｓ２５、Ｓ２６）。
【００５５】
次に、アプリケーションソフト３０は、取得した連絡先データから、電話番号等の連絡先情報５６を呼び出し（Ｓ２７）、電話番号があるか否かを判断する（Ｓ２８）。連絡先データに電話番号が入力（登録）されている場合は、電話番号ありと判断し、付箋紙Ｈ１に印刷する印刷データに電話番号データを付加する（Ｓ２９）。一方、連絡先データに電話番号が入力（登録）されていない場合は、電話番号無しと判断し、印刷データに電話番号データを付加しない。同様に、連絡先情報５６にメールアドレスがあるか否かを判断し（Ｓ３０）、有る場合は、メールアドレスデータを印刷データに付加し（Ｓ３１）、無い場合は付加しない。また、連絡先情報５６に連絡先の国／地域が入力されているか否かを判断し（Ｓ３２）、有る場合は、これに対応した時差を付加する（Ｓ３３）。そして、連絡先情報５６が付加された印刷データに基づいて、印刷部アッセンブリ１２により、印刷を行う（Ｓ３４）ことで、連絡先情報５６が付加された付箋紙Ｈ１を得ることができる。
【００５６】
以上の構成においても、伝言メッセージ５７を入力するだけで、その連絡先名５５に関連する連絡先情報５６が自動的に付加されるため、ユーザ自ら、連絡先名５５に関連する連絡先情報５６を入力する手間を省くことができる。なお、第２実施形態において、連絡先抽出手段は、伝言メッセージ５７の全てを検索するようにしたが、図１３に示すように、伝言メッセージの連絡先名５５のみを範囲指定９０し、範囲指定した部分のみを、検索するようにしても良い。これによれば、検索するワード数を削減することができるため、検索処理の負担を軽減することができる。
【図面の簡単な説明】
【００５７】
【図１】本実施形態に係る付箋紙プリントシステムの模式図である。
【図２】本実施形態に係る付箋紙プリンタの外観斜視図である。
【図３】本実施形態に係る付箋紙プリンタの内部模式図である。
【図４】アプリケーションソフトのＥＤＩＴ画面の模式図である。
【図５】アプリケーションソフトのＤＡＴＡ画面の模式図である。
【図６】アプリケーションソフトの連絡先データ登録画面の模式図である。
【図７】アプリケーションソフトのＪＯＢ画面の模式図である。
【図８】アプリケーションソフトの電話メモ作成画面の模式図である。
【図９】電話メモ作成画面において作成した付箋紙の図である。
【図１０】連絡先情報を付加して、付箋紙に印刷を行う一連の動作フロー図である。
【図１１】第２実施形態に係るアプリケーションソフトのＥＤＩＴ画面の模式図である。
【図１２】第２実施形態において、連絡先情報を付加して、付箋紙に印刷を行う一連の動作フロー図である。
【図１３】変形例に係るアプリケーションソフトのＥＤＩＴ画面の模式図である。
【符号の説明】
【００５８】
１…付箋紙プリントシステム  ２…付箋紙プリンタ  ３…パソコン  ８…ディスプレイ  １２…印刷部アッセンブリ  ３０…アプリケーションソフト  ５５…連絡先名  ５６…連絡先情報  ６１…連絡先名入力領域  ６２…電話番号入力領域  ６３…メールアドレス入力領域  ６４…国／地域入力領域  ７１…電話メモ作成画面  Ｈ…付箋紙束  Ｈ１…付箋紙
【図１】
2008077344.tif 000003
【図２】
2008077344.tif 000004
【図３】
2008077344.tif 000005
【図４】
2008077344.tif 000006
【図５】
2008077344.tif 000007
【図６】
2008077344.tif 000008
【図７】
2008077344.tif 000009
【図８】
2008077344.tif 000010
【図９】
2008077344.tif 000011
【図１０】
2008077344.tif 000012
【図１１】
2008077344.tif 000013
【図１２】
2008077344.tif 000014
【図１３】
2008077344.tif 000015